(57)【要約】【課題】空掛け防止構造の解除に当たって操作レバーの回動に伴い摺接する部分を無くし、スムーズに回動操作できるようにする。【解決手段】室内障子側に固定されるベース部材３と、このベース部材３に回動自在に取り付けられたクレセント５と、このクレセント５を回動操作する操作レバー６とを備える施錠側金具２、及び室外障子側に固定されたクレセント５が係合するためのフック部20ａを有するクレセント受け金具20からなり、ベース部材３内部に、操作レバー６の回動操作によって回動する回動子７と、ベース部材３に揺動自在に取り付けられ回動子７と係脱する空掛け防止部材８とが備えられるとともに、空掛け防止部材３、クレセント受け金具20に磁石12、13が備えられ、空掛け防止部材８は、クレセント５の回動操作時に室内障子及び室外障子が正常に閉鎖されているならば、磁石12、13の磁力によって揺動し、回動子７との係合状態が解除される。【選択図】図１０
2014211024.tif 000002
【特許請求の範囲】
【請求項１】
室内障子側に固定されるベース部材と、このベース部材に回動自在に取り付けられたクレセントと、このクレセントを回動操作する操作レバーとを備える施錠側金具、及び室外障子側に固定された前記クレセントが係合するためのフック部を有するクレセント受け金具からなり、
前記ベース部材内部に、前記操作レバーの回動操作によって回動する回動子と、前記ベース部材に揺動自在に取り付けられ前記回動子と係脱する空掛け防止部材とが備えられるとともに、前記空掛け防止部材及び／又はクレセント受け金具に磁石が備えられ、
前記空掛け防止部材は、前記クレセントの回動操作時に室内障子及び室外障子が正常に閉鎖されているならば、前記磁石の磁力によって揺動し、前記回動子との係合状態が解除されるように設けてあることを特徴とするクレセント錠。
【請求項２】
前記空掛け防止部材は、室外障子側の先端部に磁石が備えられ、前記クレセント受け金具に備えられた磁石との反発力によって回動するように設けてある請求項１記載のクレセント錠。
【請求項３】
前記空掛け防止部材は、弾性部材により前記回動子に係合するように付勢保持され、前記クレセントの回動操作時に室内障子及び室外障子が正常に閉鎖されているならば、前記磁石の磁力によって前記弾性部材の付勢力に抗して回動するように設けてある請求項１、２いずれかに記載のクレセント錠。
【請求項４】
前記回動子の周囲に衝合凸部が備えられるとともに、前記空掛け防止部材に前記回動子の衝合凸部に係合可能な空掛け防止用凸部が備えられ、
室内障子及び室外障子が正常に閉鎖されていないならば、前記クレセントの回動操作時に前記回動子の衝合凸部が前記空掛け防止部材の空掛け防止用凸部に衝合することにより、それ以上の回動を阻止するようにしてある請求項１〜３いずれかに記載のクレセント錠。
【請求項５】
窓枠と室内障子及び室外障子とからなる窓において、前記窓に請求項１〜４いずれかに記載のクレセント錠を備えたことと特徴とする窓。
【発明の詳細な説明】
【技術分野】
【０００１】
本発明は、室内障子及び室外障子が共に閉鎖された状態時にのみ施錠を可能とした空掛け防止機能付きのクレセント錠及びこれを備えた窓に関する。
【背景技術】
【０００２】
従来より、引き違い窓等のサッシ用施錠装置としてクレセント錠が知られている。このクレセント錠は、図１１に示されるように、室内障子５４の縦框に取り付けられるベース部材５１と、このベース部材５１に対してクレセント軸５３を介して回動自在に取り付けられた笠金状のクレセント５２と、室外障子５５に取り付けられた前記クレセント５２が係合するためのフック部５６ａを有するクレセント受け金具５６とからなる施錠装置５０である（例えば、下記特許文献１等参照）。
【０００３】
上記クレセント錠５０の場合は、室内障子５４又は室外障子５５が開放状態にあっても、クレセント５２を回動させることが可能であり、この施錠状態のまま障子を閉めると、室外障子５５の縦框（召合せ框含む）が室外側に突出したクレセント５２に衝突し、クレセント５２が変形したり破損したりすることがあった。これを防止するために、下記特許文献２では、室内障子又は室外障子が共に閉鎖された状態にある時以外は、クレセント錠の操作レバーが施錠方向に回動できないようにした空掛け防止機能を備えたクレセント錠が提案されている。具体的に同公報では、内障子の召合せ框に操作レバーの回動により回動しつつ延出する掛け部を有するクレセント錠を設け、外障子の召合せ框に上記掛け部が係合するクレセント受けを設け、上記掛け部を含む回動側に揺動可能な揺動体を設け、この揺動体の一端を固定側に設けられた係止部に係止させて上記操作レバーの所定角度以上の回動を阻止すると共に、上記内障子と外障子が正常閉鎖位置にあるときに上記操作レバーの回動で上記揺動体の他端が上記クレセント受けもしくは外障子の召合せ框に当接する反力で上記揺動体の一端と係止部の係止状態を解除するようにしたクレセント錠が提案されている。
【先行技術文献】
【特許文献】
【０００４】
【特許文献１】特開平１１−９３４８８号公報
【特許文献２】特開平９−１５８５８４号公報
【特許文献３】特開２００５−２３２７３６号公報
【発明の概要】
【発明が解決しようとする課題】
【０００５】
しかしながら、上記特許文献２に示される空掛け防止構造の場合には、施錠時に揺動体がクレセント受け金具の表面を摺接しながら、前記揺動体がクレセント受け金具を乗り越えるようになっているため、前記クレセント受け金具に施した表面処理が摩擦で剥げてしまい、見栄えが悪くなってしまう。また、前記揺動体の他端が上記クレセント受けもしくは外障子の召合せ框に当接する反力によって作動するとともに、前記揺動体がクレセント受け金具の表面を摺接するため、操作レバーの回動操作の抵抗が大きくなるため施錠操作がしづらいなどの問題があった。
【０００６】
そこで本出願人は、これらの問題を大幅に改善した幾つかのクレセント錠を提案したが（上記特許文献３参照）、このクレセント錠においても厳密には空掛け防止機構を解除するに当たって操作レバーの回動操作に伴い摺接する部分を有するため、回動操作の抵抗が大きくなって施錠操作がしづらいなどの問題があった。また、空掛け防止機構が複雑となり、部品数も多く必要とするなどの問題もあった。
【０００７】
そこで本発明の主たる課題は、空掛け防止構造の解除に当たって操作レバーの回動に伴い摺接する部分を無くすとともに、部品数も少なくて済み、スムーズに回動操作できるようにした空掛け防止機能を備えたクレセント錠及びこれを備えた窓を提供することにある。
【課題を解決するための手段】
【０００８】
上記課題を解決するために請求項１に係る本発明として、室内障子側に固定されるベース部材と、このベース部材に回動自在に取り付けられたクレセントと、このクレセントを回動操作する操作レバーとを備える施錠側金具、及び室外障子側に固定された前記クレセントが係合するためのフック部を有するクレセント受け金具からなり、
前記ベース部材内部に、前記操作レバーの回動操作によって回動する回動子と、前記ベース部材に揺動自在に取り付けられ前記回動子と係脱する空掛け防止部材とが備えられるとともに、前記空掛け防止部材及び／又はクレセント受け金具に磁石が備えられ、
前記空掛け防止部材は、前記クレセントの回動操作時に室内障子及び室外障子が正常に閉鎖されているならば、前記磁石の磁力によって揺動し、前記回動子との係合状態が解除されるように設けてあることを特徴とするクレセント錠が提供される。
【０００９】
上記請求項１記載の発明では、前記ベース部材内部に、前記操作レバーの回動操作によって回動する回動子と、前記ベース部材に揺動自在に取り付けられ前記回動子と係脱する空掛け防止部材とが備えられるとともに、前記空掛け防止部材及び／又はクレセント受け金具に磁石が備えられ、前記クレセントの回動操作時に室内障子及び室外障子が正常に閉鎖されている場合に、前記磁石の磁力によって空掛け防止部材を揺動させることによって、前記空掛け防止部材と回動子との係合状態が解除されるようにしているため、空掛け防止構造の解除に当たり操作レバーの回動に伴って摺接する部分を一切有さず、操作レバーをスムーズに回動操作できるようになる。また、空掛け防止機構は、前記空掛け防止部材と、該空掛け防止部材及び／又はクレセント受け金具に備えられた磁石とからなる構造であるため、構造が簡単であるとともに、部品数も少なくて済むようになる。
【００１０】
請求項２に係る本発明として、前記空掛け防止部材は、室外障子側の先端部に磁石が備えられ、前記クレセント受け金具に備えられた磁石との反発力によって回動するように設けてある請求項１記載のクレセント錠が提供される。
【００１１】
上記請求項２記載の発明では、前記空掛け防止部材の室外障子側の先端部に磁石が備えられ、前記クレセント受け金具に備えられた磁石との反発力によって前記空掛け防止部材が回動するように設けてあるため、磁石の吸着力を利用して空掛け防止部材を回動させるよりも、空掛け防止部材の回動がスムーズに行われるようになる。両者の磁石の反発力によって空掛け防止部材を回動させるには、空掛け防止部材及びクレセント受け金具に備えられた磁石のＮ極同士又はＳ極同士を対向させるようにすればよい。
【００１２】
請求項３に係る本発明として、前記空掛け防止部材は、弾性部材により前記回動子に係合するように付勢保持され、前記クレセントの回動操作時に室内障子及び室外障子が正常に閉鎖されているならば、前記磁石の磁力によって前記弾性部材の付勢力に抗して回動するように設けてある請求項１、２いずれかに記載のクレセント錠が提供される。
【００１３】
上記請求項３記載の発明では、前記クレセントの回動操作時に室内障子及び室外障子が正常に閉鎖されていないときは、前記磁石の磁力が作用せず、前記空掛け防止部材が弾性部材により前記回動子側に付勢保持されるため、回動子が空掛け防止部材に係合して前記操作レバーの回動操作が阻止される一方で、前記クレセントの回動操作時に室内障子及び室外障子が正常に閉鎖されているときは前記磁石の磁力によって前記弾性部材の付勢力に抗して空掛け防止部材が回動するため、空掛け防止部材と回動子との係合状態が解除されて前記操作レバーの回動操作が可能になる。
【００１４】
請求項４に係る本発明として、前記回動子の周囲に衝合凸部が備えられるとともに、前記空掛け防止部材に前記回動子の衝合凸部に係合可能な空掛け防止用凸部が備えられ、
室内障子及び室外障子が正常に閉鎖されていないならば、前記クレセントの回動操作時に前記回動子の衝合凸部が前記空掛け防止部材の空掛け防止用凸部に衝合することにより、それ以上の回動を阻止するようにしてある請求項１〜３いずれかに記載のクレセント錠が提供される。
【００１５】
上記請求項４記載の発明では、室内障子及び室外障子が正常に閉鎖されていない空掛け時において、前記空掛け防止部材と回動子との係合構造について具体的に規定したものであり、前記回動子の周囲に衝合凸部が備えられるとともに、前記空掛け防止部材に前記回動子の衝合凸部に係合可能な空掛け防止用凸部が備えられ、空掛け時に前記衝合凸部が空掛け防止用凸部に係合することによって、操作レバーの回動操作を阻止している。
【００１６】
請求項５に係る本発明として、窓枠と室内障子及び室外障子とからなる窓において、前記窓に請求項１〜４いずれかに記載のクレセント錠を備えたことと特徴とする窓が提供される。
【発明の効果】
【００１７】
以上詳説のとおり本発明によれば、空掛け防止構造の解除に当たって操作レバーの回動に伴い摺接する部分が無くなるとともに、部品数も少なくて済み、スムーズに回動操作できるようになる。
【図面の簡単な説明】
【００１８】
【図１】本発明に係るクレセント錠１を示す、(A)は正面図、(B)は平面図である。
【図２】クレセント錠１の施錠状態を示す、(A)は側面図、(B)は裏面図である。
【図３】クレセント錠１の分解斜視図である。
【図４】ベース部材３を示す、(A)は左側面図、(B)は正面図、(C)は右側面図、(D)は底面図である。
【図５】回動子７を示す、(A)は上面図、(B)は左側面図、(C)は正面図、(D)は右側面図である。
【図６】空掛け防止部材８を示す、(A)は正面図、(B)は側面図、(C)は一部破断底面図である。
【図７】クレセント受け金具２０を示す、(A)は正面図、(B)は底面図である。
【図８】クレセント錠１の解錠状態を示す裏面図である。
【図９】空掛け状態を示すクレセント錠１の裏面図である。
【図１０】解除状態を示すクレセント錠１の裏面図である。
【図１１】従来一般のクレセント錠５０を示す斜視図である。
【発明を実施するための形態】
【００１９】
以下、本発明の実施の形態について図面を参照しながら詳述する。本発明が対象とする窓は、窓枠と、この窓枠に対して水平方向にスライド可能に設置された室内障子３０及び室外障子３１とからなるものであり、前記室内障子３０及び室外障子３１の召合せ縦框に対して本発明に係るクレセント錠１が設けられている。
【００２０】
前記クレセント錠１は、図１及び図２に示されるように、室内障子３０の召合せ縦框にビス等で取り付けられるベース部材３と、このベース部材３に対して回動軸４を回転中心として回動自在に取り付けられたクレセント５と、室内障子３０及び室外障子３１が共に閉鎖された状態時にのみ施錠を可能とするために追加された回動子７及び空掛け防止部材８と、前記回動軸４と一体的に連設された操作レバー６とからなる施錠側金物２、及び室外障子３１の召合せ縦框にビス等で取り付けられ、前記クレセント５が係合するためのフック部２０ａを備えたクレセント受け金具２０を備えている。なお、符号９は、ベース部材３の一端と、回動子７の一端とを連結しているバネ部材であり、クレセント５の回動時に操作レバー６を水平の状態から施錠位置及び解錠位置に対して付勢させるためのものである。また、符号１０は、前記空掛け防止部材８とベース部材３の内面との間に設けられるバネ部材であり、空掛け防止部材８を前記回動子７側に付勢させ、所定条件において両者の係合状態を保持するためのものである。また、符号１１は、上下方向にスライド可能に設けられたサブロック用ストッパー片であり、ロック時にはクレセント５の回動を阻止するように動作する。
【００２１】
そして、図８に示される解錠状態から図２に示される施錠状態とするには、前記操作レバー６を摘み、クレセント５をほぼ１８０度範囲で回動させ、クレセント５の周囲に形成された、壁高を漸次テーパー状に変化させた環状周壁５Ａを前記クレセント受け金具２０のフック部２０ａに対して係合させるようにする。
【００２２】
本クレセント錠１では、室内障子及び室外障子が共に閉鎖された状態にある時以外は、クレセント錠１の操作レバー６が施錠方向に回動できないようにした空掛け防止機能を備えている。すなわち、室内障子３０及び室外障子３１が正常に閉鎖されている場合は、操作レバー６の回動操作が許容され、図２に示される施錠状態とすることができ、室内障子３０及び室外障子３１が共に閉鎖されていなければ、図９に示されるように、操作レバー６は回動が阻止され、それ以上回動できないようになっている。
【００２３】
前記空掛け防止機能を実現するには、図２及び図３に示されるように、前記ベース部材３の内部に、前記操作レバー６の回動操作によって回動する回動子７と、前記ベース部材３に揺動自在に取り付けられ前記回動子７と係脱する空掛け防止部材８とを備えるとともに、前記空掛け防止部材８及び／又はクレセント受け金具２０に磁石を備えるようにしている。そして、空掛け防止部材８は、前記クレセント５の回動操作時に室内障子３０及び室外障子３１が正常に閉鎖されているならば、前記磁石の磁力によって揺動し、前記回動子７との係合状態が解除されるように設けてある。
【００２４】
前記磁石の磁力によって揺動する仕組みについて詳しく説明すると、図１乃至図３に示されるように、空掛け防止部材８の室外障子３１側の先端部に磁石１２が備えられるとともに、クレセント受け金具２０に磁石１３が備えられ、これらの磁石１２、１３がＮ極又はＳ極同士を対向させるように配置されることによって、これらの磁石１２、１３同士の反発力（斥力）によって空掛け防止部材８が回動するように設けることができる。また、前記磁石１２、１３は、Ｎ極及びＳ極を対向させるように配置することによって、これらの磁石１２、１３同士の吸着力（引力）によって空掛け防止部材８が回動するように設けてもよい。さらに、前記磁石１２、１３は、空掛け防止部材８及びクレセント受け金具２０の少なくとも一方に備えられていればよく、例えば、クレセント受け金具２０にのみ磁石を設けた場合には、前記空掛け防止部材８の室外障子３１側の先端部に鉄などの磁石に吸着する金属を配置しておくことによって、これらの磁石と金属との吸着力によって空掛け防止部材８が回動するように設けてもよい。前記磁石１２、１３としては、ネオジム磁石を用いることが好ましいが、公知の永久磁石を用いることも可能である。
【００２５】
以下、さらにクレセント錠１について、詳細に構造を詳述するとともに、作動状態について詳述する。
【００２６】
先ず、前記ベース部材３は、図４に示されるように、縦方向に長い立方体状の部材で、基台部３Ａと、その上面から突出させたボス状の回転台座面３Ｂとからなる。前記基台部３Ａは、上下部にそれぞれビス孔３ａが形成され、室内障子の召合せ框に対してビス等で固定されるようになっている。前記回転台座面３Ｂは、クレセント５が回動自在に取り付けられる台座面を構成する部分で略円形を成し、前記基台部３Ａよりも若干高く形成されているとともに、中央に操作レバー６の回動軸４が挿通される軸孔３ｂが形成されている。
【００２７】
前記基台部３Ａの裏面側には窪み状の空間が形成されている。この空間は、前記回動子７及び空掛け防止部材８を設置するためのものである。また、この空間内には、空掛け防止部材８を揺動自在に支持するための揺動軸３ｃが形成されている。
【００２８】
次に前記回動子７は、詳細には図５に示されるように、内部に前記回動軸４の挿通孔７ａが形成された大部分が円弧の外形状を有し、上側に突出した部分を有する小片部材である。前記回動子７の上側部分は、厚み方向（前記挿通孔７ａの軸方向）に略半分に区画され、一方側半分の一部が円弧の外形線を直線的に切り欠いた段部が形成され、この段部が衝合凸部７ｂとなっている。また、他方側半分は、上方側に直方体状に突出するサブロック用凸部７ｃとされ、施錠状態においてサブロック用ストッパー片１１が衝合することにより操作レバー６が解錠操作されても解錠を阻止するように作用している。また、回動子７の表面側には、前記バネ部材９の係止突起７ｄが設けられている。
【００２９】
前記空掛け防止部材８は、詳細には図６に示されるように、横長の略長方形状の小片部材であり、一方端側に前記ベース部材３の揺動軸３ｃが挿通する軸孔８ａが形成され、この揺動軸３ｃを回転中心として該空掛け防止部材８がベース部材３に対し揺動自在に取り付けられるようになっている。また、他方端側には側方に向けて開孔する円形断面の凹部８ｂが形成され、円柱状の磁石１２を嵌入させることができるようになっている。さらに、上面には前記回動子７の衝合凸部７ｂに係合可能な段状の空掛け防止用凸部８ｃが形成され、空掛け防止部材８が揺動することによって前記衝合凸部７ｂと係脱するように設けられている。また、下面には前記バネ部材１０の一端を係合させるための突起８ｄが突設されている。
【００３０】
前記クレセント受け金具２０は、詳細には図７に示されるように、金属板の折り曲げ加工によって成形される部材であり、ビス孔２０ｂ、２０ｂが形成された室外障子３１の縦框に対する固定部２０Ａと、クレセント５が係合するためのフック部２０ａが形成されたブラケット部２０Ｂと、前記固定部２０Ａとブラケット部２０Ｂとの中間に位置し室内障子３０側に向けた面に磁石１３が備えられた中間部２０Ｃとから構成されている。図示例では、左勝手及び右勝手の両方に対応可能なように、上下の２箇所に磁石１３、１３が備えられているが、少なくとも前記空掛け防止部材８と対向する位置に備えられるようにすればよい。
【００３１】
前記クレセント受け金具２０の磁石１３は、障子の開閉方向に対しては、図１(B)に示されるように、空掛け防止部材８の磁石１２と対向する位置に設けられている。また、上下方向に対しては、前記磁石１２、１３の反発力によって空掛け防止部材８を回動させる場合、空掛け防止部材８の磁石１２よりクレセント受け金具２０の磁石１３の方が中心が若干上側になるように配置することが好ましい。これによって、空掛け防止部材８が下向きに回動するような反発力が作用しやすくなる。一方、磁石１２、１３の吸着力によって空掛け防止部材８を回動させる場合、クレセント受け金具２０の磁石１３を空掛け防止部材８の磁石１２より下側の空掛け防止部材８を回動させたい位置に配置する。
【００３２】
前記クレセント錠１の組立ては、図３に示されるように、ベース部材３の側面にサブロック用ストッパー片１１（図３では省略。図２参照。）を装着した上で、ベース部材３の表面側からクレセント５を介在させながら前記軸孔３ｂに操作レバー６の回動軸４を挿入し、ベース部材３の裏面側の空間部分に回動軸４を介在させる。回動子７の軸通孔７ａを前記回動軸４に嵌入させ、回動軸４の先端部をカシメることによって回動軸４に回動子７を抜脱不能に取り付ける。次に、凹部８ｂに磁石１２を挿嵌した空掛け防止部材８の軸孔８ａを揺動軸３ｃに嵌入させ、揺動軸３ｃの先端にプッシュナット等の止め具１４を装着することによって空掛け防止部材８が揺動軸３ｃを回転中心としてベース部材３の空間内部に揺動自在に取り付けられるともに、バネ部材１０の一端を空掛け防止部材８の突起８ｄに係合させるとともに、他端をベース部材３の空間内壁に係合させ、空掛け防止部材８が回動子７に向けて付勢的に保持される。
【００３３】
次いで、本クレセント錠１における作動状態を図８〜図１０により説明する。先ず図８は操作レバー６が下向きとなる解錠状態を示したものである。室内障子３０及び室外障子３１が正常に閉鎖されていない空掛け状態において、解錠状態から操作レバー６を回動させて施錠を行うと、図９に示されるように、空掛け防止部材８がバネ部材１０によって回動子７側に付勢保持されているため、操作レバー６と共に回動する回動子７の衝合凸部７ｂが空掛け防止部材８の空掛け防止用凸部８ｃに衝合して操作レバー６の回動が阻止される。
【００３４】
一方、室内障子３０及び室外障子３１が正常に閉鎖されている解除状態においては、図１０に示されるように、クレセント受け金具２０の磁石１３と空掛け防止部材８の磁石１２との反発力によって、空掛け防止部材８がバネ部材１０の付勢力に抗して回動しているため、回動子７の衝合凸部７ｂと空掛け防止部材８の空掛け防止用凸部８ｃとの係合が解除され、操作レバー６の回動操作が可能となる。
【００３５】
〔他の形態例〕
上記形態例では、サブロック用ストッパー片１１が備えられたクレセント錠１について説明したが、サブロック機能を有さないものについても同様に適用可能である。
【符号の説明】
【００３６】
１…クレセント錠、２…施錠側金物、３…ベース部材、４…回動軸、５…クレセント、６…操作レバー、７…回動子、８…空掛け防止部材、９…バネ部材、１０…バネ部材、１１…サブロック用ストッパー片、１２…磁石、１３…磁石、２０…クレセント受け金具
【図１】
2014211024.tif 000003
【図２】
2014211024.tif 000004
【図３】
2014211024.tif 000005
【図４】
2014211024.tif 000006
【図５】
2014211024.tif 000007
【図６】
2014211024.tif 000008
【図７】
2014211024.tif 000009
【図８】
2014211024.tif 000010
【図９】
2014211024.tif 000011
【図１０】
2014211024.tif 000012
【図１１】
2014211024.tif 000013